(57)【要約】 【課題】  第１の色空間で規定される画像情報を第２の色空間で規定される画像情報に変換する変換手段に掛かる負荷を軽減する画像情報記憶装置およびそれを備えるファクシミリ装置を提供する【解決手段】  ファクシミリ装置１は、Ｌａｂ画像情報を取得する回線制御部３と、前記取得するＬａｂ画像情報をＹＵＶ画像情報に変換する、変換手段と、Ｌａｂ画像情報およびＹＵＶ画像情報を記憶可能なメモリカード２１および画像情報格納部１１と、Ｌａｂ画像情報をメモリカード２１および画像情報格納部１１に記憶する第１のスイッチング状態とＹＵＶ画像情報に変換したうえで、ＹＵＶ画像情報をメモリカード２１および画像情報格納部１１に記憶する第２のスイッチング状態とを切換えるＣＰＵ２０とを備える。【選択図】      図１
2006094061.tif 000002
【特許請求の範囲】
【請求項１】
画像情報を取得する画像情報取得手段と、
画像情報取得手段で取得される画像情報であって、第１の色空間で規定される画像情報を、第２の色空間で規定される画像情報に変換可能な変換手段と、
画像情報を記憶可能な記憶手段と、
取得される前記第１の色空間で規定される画像情報を記憶手段に記憶する第１のスイッチング状態と、前記変換手段によって、第２の色空間で規定される画像情報に変換したうえで、この画像情報を記憶手段に記憶する第２のスイッチング状態とを切換える切換手段とを含むことを特徴とする画像情報記憶装置。
【請求項２】
前記取得される画像情報の容量が予め定められる容量以上であるか否かを判定する判定手段をさらに含み、
切換手段は、前記判定手段によって判定される判定結果に基づいて第１スイッチング状態と第２スイッチング状態とを切換えることを特徴とする請求項１に記載の画像情報記憶装置。
【請求項３】
記憶手段に記憶される第１の色空間で規定される画像情報を検索する検索手段をさらに含み、
変換手段は、前記検索手段によって検索される第１の色空間で規定される画像情報を、第２の色空間で規定される画像情報に変換して得られる画像情報を作成することを特徴とする請求項１または２に記載の画像情報記憶装置。
【請求項４】
請求項１〜３のいずれか１つに記載の画像情報記憶装置を備えるファクシミリ装置。
【発明の詳細な説明】
【技術分野】
【０００１】
本発明は、画像情報を取得し、取得される画像情報を記憶する画像情報記憶装置およびそれを備えるファクシミリ装置に関する。
【背景技術】
【０００２】
近年、カラー画像の画像情報を送受信可能なカラーファクシミリ装置が実用に供されている。従来の技術のカラーファクシミリ装置は、Ｌａｂ色空間で規定される画像情報を受信部で受信し、色変換部で前記受信するＬａｂ色空間で規定される画像情報をＹＵＶ色空間で規定される画像情報に変換して記憶する。Ｌａｂ色空間で規定される画像情報は、カラーファクシミリ装置間で伝送可能な画像情報であり、ＹＵＶ色空間で規定される画像情報は、ディスプレイで表示可能な画像情報である。
【０００３】
前記Ｌａｂ色空間は、色情報を数値化するカラーモデルのひとつであって、黒から白（明度＝Lightness）と緑から赤の範囲の要素（a）、青から黄の範囲の要素（b）の２つの色彩要素とによって構成されている色空間であり。前記ＹＵＶ色空間は、輝度Ｙ信号と青の色差（Ｕ、Ｃｂ）と赤の色差（Ｖ、Ｃｒ）の二つの色度で色を表現する色空間の管理方法と同義である。
【０００４】
カラーファクシミリ装置は、記憶されるＹＵＶ色空間で規定される画像情報をカラーファクシミリ装置に設けられるディスプレイで表示する。さらにカラーファクシミリ装置は、Ｌａｂ色空間で規定される画像情報を送信する（たとえば特許文献１参照）。
【０００５】
【特許文献１】特開２００２−４４４６３号公報（第３―５頁、第３図）
【発明の開示】
【発明が解決しようとする課題】
【０００６】
従来の技術のカラーファクシミリ装置は、色変換部によって受信する全てのＬａｂ色空間で規定される画像情報をＹＵＶ色空間で規定される画像情報に変換して記憶する。このため受信した画像情報を転送する際、色変換部によってＹＵＶ色空間で規定される画像情報を、Ｌａｂ色空間で規定される画像情報に再度変換した後に画像情報を転送する。したがって転送する度にＬａｂ色空間に変換する必要があるので、色変換部に掛かる負荷が大きくなる。
【０００７】
本発明の目的は、第１の色空間で規定される画像情報を第２の色空間で規定される画像情報に変換する変換手段に掛かる負荷を軽減する画像情報記憶装置およびそれを備えるファクシミリ装置を提供することである。
【課題を解決するための手段】
【０００８】
本発明は、画像情報を取得する画像情報取得手段と、
画像情報取得手段で取得される画像情報であって、第１の色空間で規定される画像情報を、第２の色空間で規定される画像情報に変換可能な変換手段と、
画像情報を記憶可能な記憶手段と、
取得される前記第１の色空間で規定される画像情報を記憶手段に記憶する第１のスイッチング状態と、前記変換手段によって、第２の色空間で規定される画像情報に変換したうえで、この画像情報を記憶手段に記憶する第２のスイッチング状態とを切換える切換手段とを含むことを特徴とする画像情報記憶装置である。
【０００９】
本発明に従えば、画像情報取得手段は、画像情報を取得する。変換手段は、画像情報取得手段によって取得される画像情報であって、第１の色空間で規定される画像情報を、第２の色空間で規定される画像情報に変換することができる。記憶手段は、画像情報を記憶することができる。切換手段は、第１のスイッチング状態と第２のスイッチング状態とを切換える。第１のスイッチング状態は、画像情報取得手段によって取得される前記第１の色空間で規定される画像情報を記憶手段に記憶するスイッチンチング状態である。第２のスイッチング状態は、前記変換手段によって、取得される前記第１の色空間で規定される画像情報を、第２の色空間で規定される画像情報に変換したうえで、この画像情報を記憶手段に記憶するスイッチング状態である。これによって画像情報記憶装置は、切換手段によって第１のスイッチング状態に切換えると、画像取得手段によって取得される画像情報を、第１の色空間で規定される画像情報で記憶手段に記憶する。前記画像情報記憶装置は、切換手段によって第２のスイッチング状態に切換えると、前記取得される画像情報を、第２の色空間で規定される画像情報で記憶手段に記憶する。
【００１０】
また本発明は、前記取得される画像情報の容量が予め定められる容量以上であるか否かを判定する判定手段をさらに含み、
切換手段は、前記判定手段によって判定される判定結果に基づいて第１スイッチング状態と第２スイッチング状態とを切換えることを特徴とする。
【００１１】
本発明に従えば、判定手段は、画像取得手段によって取得される画像情報の容量が予め定められる容量以上であるか否かを判定する。切換手段は、前記判定手段が判定する判定結果に基づいて、第１のスイッチング状態と第２のスイッチング状態とを切換える。これによって画像情報記憶手段は、画像情報の容量が予め定められる容量以上か否かの判定結果に基づいて、第１および第２のスイッチング状態を切換える。
【００１２】
また本発明は、記憶手段に記憶される第１の色空間で規定される画像情報を検索する検索手段をさらに含み、
変換手段は、前記検索手段によって検索される第１の色空間で規定される画像情報を、第２の色空間で規定される画像情報に変換して得られる画像情報を作成することを特徴とする。
【００１３】
本発明に従えば、検索手段は、記憶手段に記憶される第１の色空間で規定される画像情報を検索する。変換手段は、前記検索手段によって検索される第１の色空間で規定される画像情報を、第２の色空間で規定される画像情報に変換して得られる画像情報を作成する。これによって画像情報記憶装置は、検索手段によって記憶手段に記憶される第１の色空間で規定される画像情報を検索し、検索される画像情報を変換手段によって第２の色空間で規定される画像情報に変換して得られる画像情報を作成する。
【００１４】
また本発明は、前記画像情報記憶装置を備えるファクシミリ装置である。
本発明に従えば、画像情報記憶装置は、ファクシミリ装置に備えられる。これによって変換手段に掛かる負荷を軽減するファクシミリ装置を実現することができる。
【発明の効果】
【００１５】
本発明によれば、画像情報記憶装置は、切換手段によって第１のスイッチング状態に切換えると、画像取得手段によって取得される画像情報を、第１の色空間で規定される画像情報（第１画像情報と称す）で記憶手段に記憶する。前記画像情報記憶装置は、切換手段によって第２のスイッチング状態に切換えると、前記取得される画像情報を、第２の色空間で規定される画像情報（第２画像情報と称す）で記憶手段に記憶する。第１のスイッチング状態では、第１画像情報を記憶手段に記憶する。第１のスイッチング状態では、第１画像情報を第２画像情報に変換しないので、変換手段に掛かる負荷が軽減される。第２のスイッチング状態では、変換手段によって、第１画像情報を第２画像情報に変換して記憶手段に記憶する。
【００１６】
つまり前記切換手段を用いて第１のスイッチング状態と第２のスイッチング状態とを選択的に切換えることによって、取得する画像情報を、第１および第２の色空間のうちのいずれか一方を選択して、選択される色空間で規定される画像情報を記憶手段に記憶することができるので、次のような効果を奏する。第１のスイッチング状態が選択された場合、換言すれば第１画像情報から第２画像情報に変換する必要のない場合には、変換手段に掛かる負荷の軽減を図ることができる。
【００１７】
また本発明によれば、画像情報記憶手段は、画像情報の容量予め定められる容量以上か否かの判定結果に基づいて、第１および第２のスイッチング状態を切換える。画像情報の容量が大きくなると、変換手段の負荷が大きくなり、画像情報の容量によって変換手段に掛かる負荷が異なる。したがって切換手段が画像の容量に予め定められる容量以上か否かの判定結果に基づいて第１および第２スイッチング状態を切換えることによって、変換手段に掛かる負荷を調整することができる。
【００１８】
また本発明によれば、画像情報記憶装置は、検索手段によって記憶手段に記憶される第１画像情報を検索し、検索される第１画像情報を変換手段によって第２画像情報に変換する。それ故、第１画像情報が記憶手段に記憶される状態で、前記画像情報を変換手段によって変換して得られる第２画像情報が作成され、第１および第２画像情報を記憶手段に記憶することができる。第１および第２画像情報が記憶されるので、一方の色空間で規定される画像情報から他方の色空間で規定される画像情報に変換する必要がなくなる。これによって変換手段に掛かる負荷を軽減することができるうえ、画像情報の再変換にともなう画像情報の劣化を防止できる。
【００１９】
また本発明によれば、変換手段に掛かる負荷を軽減するファクシミリ装置を実現することができる。それ故、変換手段の処理能力が低くても必要十分な機能を有するファクシミリ装置を提供することができる。したがってファクシミリ装置の製作コストの低減を図ることができる。
【発明を実施するための最良の形態】
【００２０】
以下、図面を参照しながら本発明を実施するための形態について説明する。また実施の各形態で具体的に説明している部分の組合せばかりではなく、特に組合せに支障が生じなければ、実施の形態同士を部分的に組合せることも可能である。
【００２１】
図１は、本発明の実施の形態のファクシミリ装置の各構成を示すブロック図である。ファクシミリ装置１は、公衆回線２を介して他のファクシミリ装置から画像情報を取得し、取得される画像情報で規定される画像を印刷手段を用いて出力する装置である。本実施の形態において画像情報は、デジタル信号によって表される情報であり、画像は、画像情報を変換して得られる目視可能な像である。ファクシミリ装置１には、回線制御部３、システムバス４、画像バス５、多値画像符号化復号化部６、二値画像符号化復号化部７、色変換部８、色補正部９、色補正データメモリ部１０、画像情報格納部１１、カードスロット１２、カードコントローラ部１３、プリンタ１４、プリンタ制御部１５、表示部１６、操作パネル１７、ランダムアクセスメモリ（Random Access Memory:略称ＲＡＭ）１８、リードオンリーメモリ（Read Only Memory:略称ＲＯＭ）１９、および中央演算処理装置（
Central Processing Unit:略称ＣＰＵ）２０が含まれる。
【００２２】
画像情報取得手段である回線制御部３は、公衆回線２に電気的に接続される入出力インターフェイスである。公衆回線２は、電話通信回線およびインターネット回線などの通信回線である。回線制御部３は、他のファクシミリ装置から公衆回線２を介して送信される画像情報を取得可能に構成される。回線制御部３は、他のファクシミリ装置に公衆回線２を介して画像情報を伝送可能に構成される。回線制御部３が取得および伝送する画像情報は、具体的には、Ｌａｂ色空間で規定される画像情報（以下、「Ｌａｂ画像情報」と称する場合がある）である。第１の色空間であるＬａｂ色空間は、色情報を数値化するカラーモデルのひとつであって、黒から白（明度＝Lightness）の範囲の要素（Ｌ）と、緑から赤の範囲の要素（a）、青から黄の範囲の要素（b）の２つの色彩要素とを用いて表す色空間であり、ＣＩＥＬＡＢと呼ばれる場合もある。Ｌａｂ色空間は、人間が認識可能な色を数値化可能な色空間である。ファクシミリ装置１は、国際規格のＧ３ファクシミリに準拠するファクシミリ装置である。Ｇ３ファクシミリに準拠するファクシミリ装置は、２つのファクシミリ装置間で画像情報を伝送する場合、Ｌａｂ画像情報によって伝送することが規格化されている。
【００２３】
システムバス４は、多値画像符号化復号化部６、二値画像符号化復号化部７、色補正データ部１０、回線制御３、カードコントローラ１３、プリンタ制御部１５、表示部１６、操作パネル１７、ＲＡＭ１８、ＲＯＭ１９およびＣＰＵ２０に電気的に接続される。システムバス４は、電気的に接続される前記各構成部に情報を伝送可能に構成される。画像バス５は、多値画像符号化復号化部６、二値画像符号化復号化部７、色変換部８、色補正部９および画像情報格納部１１に電気的に接続される。画像バス５は、電気的に接続される前記各構成部に画像情報を伝送可能に構成される。システムバス４および画像バス５は、電気的に接続される。システムバス４および画像バス５間は、相互に情報の伝送が可能に構成される。
【００２４】
多値画像符号化復号化部６は、ＪＰＥＧの規格に基づく圧縮方法で圧縮（以下、単に「ＪＰＥＧ圧縮」と称する場合がある）されている画像情報を復号化して解凍可能に構成される。多値画像符号化復号化部６は、画像情報を符号化しＪＰＥＧ圧縮可能に構成される。
【００２５】
二値画像符号化復号化部７は、モディファイドハフマン（Modified Huffman：ＭＨ）符号化、モディファイドリード（Modified Read：ＭＲ）符号化およびモディファイドモディファイドリード（Modified Modified Read：ＭＭＲ）のいずれかによって圧縮されている画像情報を復号化して解凍可能に構成される。多値画像符号化復号化部６は、ＭＨ、ＭＲおよびＭＭＲ符号化のいずれかによって画像情報像を圧縮可能に構成される。
【００２６】
色変換部８は、Ｌａｂ画像情報とＹＵＶ色空間で規定される画像情報（以下、「ＹＵＶ画像情報」と称する場合がある）とを相互に変換可能に構成される。第２の色空間であるＹＵＶ色空間は、輝度Ｙ信号と青の色差（Ｕ、Ｃｂ）と赤の色差（Ｖ、Ｃｒ）の二つの色度で色を表現する色空間であり、ＹＣｒＣｂと呼ばれる場合もある。ＹＵＶ色空間は、テレビおよびディスプレイで表現可能な色を数値化可能な色空間である。テレビおよびディスプレイは、ＹＵＶ画像情報を変換して得られる画像を表示可能に構成されている。色変換部８はＹＵＶ画像情報をＣＭＹＫ色空間で規定される画像情報（以下、「ＣＭＹＫ画像情報」と称する場合がある）に変換可能に構成される。ＣＭＹＫ色空間は、シアン、マゼンダおよびイエローの減法混色によって規定される色空間であり、各色の明度のパラメータを用いて色を表現する色空間である。ＣＭＹＫ画像情報は、プリンタをなどの印刷手段で画像を印刷する際に用いられる画像情報である。各色空間で規定される画像情報の相互変換は、各色空間の座標を演算式に基づいて相互に座標変換することによって行われる。
【００２７】
色補正部９は、Ｌａｂ画像情報において明度および色彩要素、ＹＵＶ画像情報において輝度および２つの色差、ＣＭＹＫ画像情報において各色の明度を補正可能に構成される。色補正データメモリ部１０は、色補正部９によって画像を補正する際、色補正部９を駆動させるプログラムを格納する。画像情報格納部１１は、画像情報を格納可能、すなわち記憶可能に構成される。具体的には、画像情報格納部１１は、Ｌａｂ画像情報およびＹＵＶ画像情報を記憶可能に構成される。画像情報格納部１１は、たとえばフラッシュメモリ、ハードディスク（Hard Disk Drive：ＨＤＤ）またはＥＰＲＯＭ（Erasable Programmable Read-Only Memory）によって構成される。
【００２８】
カードスロット１２は、カードコントローラ１３に電気的に接続される。カードスロット１２は、メモリカード２１を着脱可能に構成される。カードスロット１２は、装着完了スイッチを備える。装着完了スイッチは、スイッチン機構であり、メモリカード２１が装着されると、オンになる。装着完了スイッチは、メモリカード２１が離脱すると、オフになる。メモリカード２１は、カードスロット１２に装着されると、カードコントローラ１３と電気的に接続される。メモリカード２１は、情報を記憶可能に構成される外部記憶手段である。メモリカード２１は、カードスロット１２から離脱させて持ち運び可能な記録媒体である。カードコントローラ１３は、カードスロット１２に装着されるメモリカード２１とシステムバス４とを電気的に接続する。カードコントローラ１３は、カードスロット１２に装着されるメモリカード２１に伝送される情報を記憶するドライバである。またカードコントローラ１３は、カードスロット１２に装着されるメモリカード２１から情報を取得し、各構成部に伝送可能に構成される。カードコントローラ１３は、装着完了スイッチがオンになると、メモリカード２１が装着されていることを示す情報をＣＰＵ２０に伝送し、装着完了スイッチがオフになると、メモリカード２１が装着されていないことを示す情報をＣＰＵ２０に伝送する。
【００２９】
プリンタ１４は、プリンタ制御部１５と電気的に接続される。プリンタ１４は、ＣＭＹＫ画像情報で規定される画像を印刷可能に構成される。プリンタ制御部１５は、システムバス４および画像バス５を介して印刷すべきＣＭＹＫ画像情報を取得し、プリンタ１４を駆動させるドライバである。プリンタ制御部１５は、取得するＣＭＹＫ画像情報をプリンタ１４に伝送する。プリンタ１４は、伝送されるＣＭＹＫ画像情報を変換して得られる画像を印刷する。
【００３０】
ＲＡＭ１８は、情報を記憶する。ＲＡＭ１８は、情報を書換え可能に構成される。ＲＡＭ１８は、たとえばＤＲＡＭによって構成される。ＲＯＭ１９は、ＣＰＵ２０を駆動させるために必要なプログラムを記憶する。ＣＰＵ２０は、ＲＯＭ１９に記憶されるプログラムに基づいて駆動可能に構成される。切換手段であるＣＰＵ２０は、第１のスイッチング状態と第２のスイッチング状態とを選択的に切換える。第１のスイッチング状態に切換えられると、ＣＰＵ２０は、色変換部８によって、公衆回線２を介して取得されるＬａｂ画像情報をＹＵＶ画像情報に変換して画像格納メモリ１１およびメモリカード２１のうち少なくとも一方（以下、少なくとも一方を示す場合「記録媒体」と称する場合がある）に記憶させる。第２のスイッチング状態が選択されると、ＣＰＵ２０は、前記Ｌａｂ画像情報を変換せずに記録媒体に記録させる。
【００３１】
判定手段であるＣＰＵ２０は、公衆回線２を介して取得されるＬａｂ画像情報の容量を検出する。ＣＰＵ２０は、Ｌａｂ画像情報が予め定められる許容容量以上であるか否かを判定する。ＲＯＭ１９には、予め定められる許容容量が記憶される。検索手段であるＣＰＵ２０は、記録媒体に記録されるＬａｂ画像情報を検索する。具体的には、ファクシミリ装置間で伝送されるＬａｂ画像情報には、Ｇ３ファクシミリの国際規格上、”Ｇ３ＦＡＸ”のマーカーコードを含む制御コードが付されている。ＣＰＵ２０は、記録媒体が記憶するＬａｂ画像情報に前記コードが含まれているか否かを検索することによって、記録媒体からＬａｂ画像情報を検出する。ＣＰＵ２０は、前記検索されるＬａｂ画像情報を色変換部８に伝送し、ＹＵＶ画像情報に変換させる。またＣＰＵ２０は、ＹＵＶ画像情報から変換されたＬａｂ画像情報を公衆回線２を介して他のファクシミリ装置に送信する際、前記マーカーコードを付する。
【００３２】
ＣＰＵ２０は、画像情報を記憶すべき記録媒体を画像情報格納部１１およびメモリカード２１のいずれか一方に切換え可能に構成される。具体的には、ＣＰＵ２０は、記録モードが画像情報格納部受信モードおよびカード受信モードのうちいずれであるかを判定する。ＣＰＵ２０は、前記判定に基づいて画像情報格納部受信モードおよびカード受信モードとを切換え可能に構成される。利用者が画像情報格納部受信モードを選択すると、ＣＰＵ２０は、画像情報を画像情報格納部１１に記憶させる。カード受信モードを選択すると、ＣＰＵ２０は、画像情報をメモリカード２１に記憶することができる。前記記録モードは、操作パネル１７によって切り替え可能に構成される。ＣＰＵ２０は、カードコントローラ１３から伝送される情報に基づいて、カードスロット１２にメモリカード２１が装着されているか否かを判定する。
【００３３】
ＣＰＵ２０は、メモリカード２１に他の構成部がアクセス中か否かを検出可能に構成される。アクセス中は、メモリカード２１に情報を書き込み中またはメモリカード２１から情報を読出し中であることと同義である。ＣＰＵ２０は、メモリカード２１の記憶可能な容量を検出可能に構成される。ＣＰＵ２０は、検出されるメモリカード２１の記憶可能な容量（以下単に「メモリカード２１の残量」と称する場合がある）が取得されるＬａｂ画像情報の容量以下であるか否かを判定する。ＣＰＵ２０は、各構成部を制御可能に構成される。
【００３４】
表示部１６は、ＹＵＶ画像情報で規定される画像を表示可能に構成される。ＣＰＵ２０は、画像情報格納部１１およびメモリカード２１に記憶されるＹＵＶ画像情報を取得し、前記ＹＵＶ画像情報で規定される画像を表示部１６によって表示することができる。表示部１６は、たとえば液晶ディスプレイによって構成される。操作パネル１７は、利用者が情報を入力し、ＣＰＵ２０に命令可能に構成される。利用者が操作パネル１７を操作することによって情報を入力し、ＣＰＵ２０に命令を与えることができる。具体的には、操作パネル１７は、利用者が記録モードを切換え可能に構成される。また操作パネル１７は、記録媒体に記憶される画像情報のうちいずれの画像情報を表示部１６に表示させるかを利用者が選択可能に構成される。操作パネル１７には、ダイヤルボタンが含まれる。操作パネル１７は、利用者が操作すると、記録媒体からＬａｂ画像情報を検索させる検索命令をＣＰＵ２０に伝送する。
【００３５】
このようにして構成されるファクシミリ装置において、多値画像符号化復号化部６と色変換部８とＣＰＵ２０によって変換手段が構成される。画像情報格納部１１およびメモリカード２１によって記憶手段が構成される。
【００３６】
以下ではこのように構成されるファクシミリ装置の動作について説明する。図２は、取得される画像情報を記録媒体に記録する手順を示すフローチャートである。図３は、Ｌａｂ画像情報とＹＵＶ画像情報とを相互に変換する手順を示すフローチャートである。以下のフローチャートにおいて特に記載がなければ、動作主体は、ＣＰＵ２０である。回線制御部３が公衆回線２を介してＬａｂ画像情報を取得してＲＡＭ１８に伝送し、ＲＡＭ１８がＬａｂ画像情報を記憶すると、フローチャートが開始し、ステップａ０からステップａ１ヘ移行する。ステップａ１では、記録モードがカード受信モードであるか否かを判定する。カード受信モードであると判定するとステップａ２へ移行し、カード受信モードでないと判定すると、第２のスイッチング状態に切換えてステップａ１０ヘ移行する。
【００３７】
ステップａ２では、メモリカード２１がカードスロット１２に装着されているか否かを判定する。メモリカード２１が装着されていると判定すると、ステップａ３へ移行し、メモリカード２１が装着されていないと判定すると、第２のスイッチング状態に切換えてステップａ１０ヘ移行する。ステップａ３では、装着されるメモリカード２１がアクセス中か否かを判定する。前記メモリカード２１がアクセス中でないと判定すると、ステップａ４ヘ移行し、前記メモリカード２１がアクセス中であると判定すると、第２のスイッチング状態に切換えてステップａ１０ヘ移行する。ステップａ４では、メモリカード２１の残量が、ＲＡＭ１８に記憶される画像情報の容量（以下、「画像情報容量」と称する場合がある）以上であるか否かを判定する。メモリカード２１の残量が画像情報容量以上であると判定すると、第１のスイッチング状態に切換えてステップａ５ヘ移行し、メモリカード２１の残量が画像情報容量未満であると判定すると、第２のスイッチング状態に切換えてステップａ１０ヘ移行する。
【００３８】
ステップａ５は、画像情報容量が許容容量以上であるか否かを判定する。許容容量以上であると判定すると、ステップａ６へ移行する。許容容量未満であると判定すると、ステップａ８ヘ移行する。ステップａ６では、ＲＡＭ１８に記憶されるＬａｂ画像情報をカードコントローラ１３に伝送し、メモリカード２１に記憶させる。メモリカード２１に記憶させる際、Ｌａｂ画像情報は、マーカーコードを付したままの状態でメモリカード２１に記憶させる。メモリカード２１にＬａｂ画像情報を記憶させると、ステップａ７ヘ移行し手順が終了する。
【００３９】
ステップａ８では、多値画像符号化復号化部６および色変換部８を用いて、ＲＡＭ１８に記憶される許容容量以下のＬａｂ画像情報をＹＵＶ画像情報に変換する。取得されるＬａｂ画像情報は、ＪＰＥＧ圧縮されている画像情報である。またＬａｂ画像情報を変換して得られるＹＵＶ画像情報も、ＪＰＥＧ圧縮されている画像情報である。このようにＬａｂ画像情報をＹＵＶ画像情報に変換する具体的な変換方法について、図３を用いて以下に説明する。
【００４０】
多値画像符号化復号化部６にＬａｂ画像情報が伝送されると、フローチャートが開始し、ステップｂ０からステップｂ１ヘ移行する。ステップｂ１では、Ｌａｂ画像情報に付されているマーカーコードを含む制御コードを多値画像符号化復号化部６によって除去する。前記制御コードが除去されると、ステップｂ１からステップｂ２ヘ移行する。ステップｂ２では、制御コードが除去されたＬａｂ画像情報を多値画像符号化復号化部６によってハフマン復号化する。ハフマン復号化されると、ステップｂ３ヘ移行する。ステップｂ３では、ハフマン復号化されたＬａｂ画像情報を多値画像符号化復号化部６によって逆量子化する。逆量子化すると、ステップｂ４ヘ移行する。ステップｂ４では、逆量子化されたＬａｂ画像情報を多値画像符号化復号化部６によって逆離散コサイン変換（Discrete
Cosin Transform：略称ＤＣＴ）する。逆ＤＣＴすると、ステップｂ５ヘ移行する。ステップｂ５では、ステップｂ４で逆ＤＣＴすることによって非圧縮のＬａｂ画像情報が得られる。非圧縮のＬａｂ画像情報が得られると、ステップｂ６ヘ移行する。
【００４１】
ステップｂ６では、色変換部８によって非圧縮のＬａｂ画像情報を非圧縮のＹＵＶ画像情報に変換する。非圧縮のＹＵＶ画像情報に変換すると、ステップｂ７ヘ移行する。ステップｂ７では、非圧縮のＹＵＶ画像情報を多値画像符号化復号化部６によってサブサンプリングする。サブサンプリングは、ＹＵＶ色空間の色差成分の画素数を間引くことである。サブサンプリングすると、ステップｂ８ヘ移行する。ステップｂ８では、サブサンプリングされたＹＵＶ画像情報を多値画像符号化復号化部６によってＤＣＴする。ＤＣＴすると、ステップｂ９ヘ移行する。ステップｂ９では、ＤＣＴされたＹＵＶ画像情報を多値画像符号化復号化部６によって量子化する。量子化すると、ステップｂ１０ヘ移行する。ステップｂ１０では、量子化されたＬａｂ画像情報を多値画像符号化復号化部６によってハフマン符号化する。ハフマン符号化すると、ステップｂ１１ヘ移行する。ステップｂ１１では、ハフマン符号化されたＹＵＶ画像情報に多値画像符号化復号化部６によって制御コードを付して、ＪＰＥＧ圧縮されているＹＵＶ画像情報を取得し、ステップｂ１２ヘ移行しフローチャートが終了する。このときＹＵＶ画像情報に付される制御コードには、マーカーコードが含まれない。
【００４２】
このようにして行われる変換は、ＪＰＥＧ圧縮される画像情報を非圧縮の画像情報に解凍する工程、つまりステップｂ０からステップｂ５までの工程を復号化と称する。非圧縮の画像情報をＪＰＥＧ圧縮される画像情報に圧縮する工程、つまりステップｂ７からステップｂ１２までの工程を符号化と称する。ＣＰＵ２０は、ＹＵＶ画像情報をＬａｂ画像情報に変換する際、ＹＵＶ画像情報を復号化し、非圧縮のＹＵＶ画像情報を取得する。ＣＰＵ２０は、非圧縮のＹＵＶ画像情報を非圧縮のＬａｂ画像情報に変換し、符号化してＬａｂ画像情報を取得する。このときＬａｂ画像情報の制御コードには、マーカーコードが含まれる。このようにＣＰＵ２０は、Ｌａｂ画像情報およびＹＵＶ画像情報を相互に変換する。
【００４３】
ステップａ８で前記フローチャートに基づいてＬａｂ画像情報をＹＵＶ画像情報に変換すると、ステップａ９ヘ移行する。ステップａ９では、前記ＹＵＶ画像情報を画像情報格納部１１に記憶させる。ＹＵＶ画像情報が画像情報格納部１１に記憶されると、ステップａ６ヘ移行する。ステップａ６では、前記ＹＵＶ画像情報をメモリカード２１に記憶させる。メモリカード２１にＹＵＶ画像情報を記憶させると、ステップａ７ヘ移行し、フローチャートが終了する。
【００４４】
ステップａ１０では、前記フローチャートに基づいてＬａｂ画像情報をＹＵＶ画像情報に変換する。ＹＵＶ画像情報に変換すると、ステップａ１１ヘ移行する。ステップａ１１では、ステップａ１０で変換されるＹＵＶ画像情報を画像情報格納部１１に記憶する。画像情報格納部１１に記憶すると、ステップａ７ヘ移行し、フローチャートが終了する。
【００４５】
ＣＰＵ２０は、記録媒体に記録される画像情報を回線制御部３から、公衆回線２を介して他のファクシミリ装置に送信する。具体的には、利用者が送信すべき相手のファクシミリ装置の番号を操作パネル１７によってダイヤルし、送信すべき画像情報を操作パネル１７によって選択する。これによってＣＰＵ２０は、選択される画像情報をダイヤルされた番号のファクシミリ装置に送信する。このとき選択される画像情報がＬａｂ画像情報である場合、記憶時にマーカーコートが付されているので、ＣＰＵ２０は、Ｌａｂ画像情報を公衆回線２を介して他のファクシミリ装置に伝送する。選択される画像情報がＹＵＶ画像情報である場合、ＹＵＶ画像情報をＬａｂ画像情報に変換する必要がある。したがってＣＰＵ２０は、利用者が選択するＹＵＶ画像情報をＬａｂ画像情報に変換させた後、公衆回線２を介してほかのファクシミリ装置に送信する。
【００４６】
ＣＰＵ２０は、利用者が操作パネル１７を操作して選択する記録媒体に記憶されるＹＵＶ画像情報を、前記ＹＵＶ画像情報の画像を表示部１６によって表示させることができる。ＣＰＵ２０は、記憶されるＬａｂ画像情報およびＹＵＶ画像情報を多値画像符号化復号化部６および色変換部８を用いてＣＭＹＫ画像情報に変換する。変換されるＣＭＹＫ画像情報は、プリンタ制御部１５に伝送される。プリンタ制御部１５は、プリンタに前記ＣＭＹＫ画像情報を伝送し、ＣＭＹＫ画像情報で規定される画像を印刷する。
【００４７】
図４は、画像情報が記憶される記録媒体のディレクトリ構造を概略示す図である。メモリカード２１および画像情報格納部１１は、ディレクトリ構造および作成されるディレクトリが同じである。したがってメモリカード２１のディレクトリ構造およびディレクトリの作成方法について説明し、画像情報格納部１１のディレクトリ構造の説明は省略する。以下では、メモリカード２１にＬａｂ画像情報を記録する際のディレクトリの作成方法およびＬａｂ画像情報からＹＵＶ画像情報へ一括変換する方法について説明する。
【００４８】
ＣＰＵ２０は、回線制御部３によって取得するＬａｂ画像情報をメモリカード２１に記録する際、ルートディレクトリ２２下にサブディレクトリ２３を作成する。図４では、第１サブディレクトリ２３は、ディレクトリ名が「ＦＡＸＳＨ」のサブディレクトリである。ＣＰＵ２０は、記憶すべきＬａｂ画像情報を、作成された第１サブディレクトリ２３内に記憶する。図４では、第１サブディレクトリ２３内に記憶されるＬａｂ画像情報２４（「変換前画像情報２４」と称する場合がある。）は、データ名「ＦＡＸｘｘｘｘ.ＪＰＧ」で表される。ＣＰＵ２０は、公衆回線３が複数のＬａｂ画像情報を取得すると、前記複数のＬａｂ画像情報を第１サブディレクトリ２３内に記憶する。
【００４９】
ＣＰＵ２０は、利用者が操作パネル１７を操作すると、第１サブディレクトリ２３内に記憶されるＬａｂ画像情報、つまり変換前画像情報２４を検索する。具体的には、ＣＰＵ２０が画像情報にマーカーコードが含まれているか否かを判定する。ＣＰＵ２０は、前記マーカーコードが含まれている場合、Ｌａｂ画像情報であると認識する。ＣＰＵ２０は、前記マーカーコードが含まれていない場合、ＹＵＶ画像情報またはＣＭＹＫ画像情報などであると認識する。このようにしてＣＰＵ２０は、第１サブディレクトリ２３から変換前画像情報２４を検索する。
【００５０】
ＣＰＵ２０は、このようにして検索される変換前画像情報２４に基づいて多値画像符号化復号化部６および色変換部８を用いてＹＵＶ画像情報２５（以下、「変換後画像情報２５」と称する場合がある。）を作成し、このＹＵＶ画像情報をルートディレクトリ２２下のサブディレクトリに記憶する。このとき、変換前画像情報２４は、第１サブディレクトリ２３内に記憶されたままである。つまりルートディレクトリ２２下のサブディレクトリには、変換前画像情報２４と変換後画像情報２５とが記憶されている。変換後画像情報２５を記憶する際、ＣＰＵ２０は、ＤＣＦの規格に準拠するディレクトリ構造（以下、「ＤＣＦ構造」と称する場合がある）を構築する。具体的には、ＣＰＵ２０は、ルートディレクトリ２２下にＤＣＩＭ（Degital Camera Images）ディレクトリ２６を作成する。ＣＰＵ２０は、ＤＣＩＭディレクトリ２６下に第２サブディレクトリ２７を作成する。図４では、第２サブディレクトリは、ディレクトリ名が「１００ＳＨＡＲＰ」のディレクトリである。この作成される第２サブディレクトリ内に変換後画像情報２５を記憶する。
【００５１】
したがってＣＰＵ２０は、利用者が操作パネル１７によってＬａｂ画像情報を検索すべきことを命令すると、Ｌａｂ画像情報を検索する、すなわち変換前画像情報２４を検索する。ＣＰＵ２０は、検索によって検出される変換前画像情報２４を多値画像符号化復号化部６および色変換部９を用いて変換後画像情報２５を作成し、これを第２サブディレクトリに記録する。このようにして検索される変換前画像情報２４に基づく変換後画像情報２５に変換することができる。換言すると、メモリカード２１に記憶される全てのＬａｂ画像情報を検索し、ＹＵＶ画像情報に一括変換することができる。以下では、ファクシミリ装置１が奏する効果について説明する。
【００５２】
本実施の形態のファクシミリ装置１によれば、ＣＰＵ２０によって第１のスイッチング状態に切換えると、回線制御部３によって取得されるＬａｂ画像情報を、Ｌａｂ画像情報でメモリカード２１に記憶する。ファクシミリ装置１は、ＣＰＵ２０によって第２のスイッチング状態に切換えると、前記取得されるＬａｂ画像情報を、ＹＵＶ画像情報でメモリカード２１および画像情報格納部１１のいずれか一方に記憶する。第１のスイッチング状態では、Ｌａｂ画像情報をメモリカード２１に記憶する。第１のスイッチング状態では、Ｌａｂ画像情報をＹＵＶ画像情報に変換しないので、多値画像符号化復号化部６、色変換部８およびＣＰＵ２０に掛かる負荷が軽減される。第２のスイッチング状態では、変換手段によって、Ｌａｂ画像情報をＹＵＶ画像情報に変換してメモリカード２１および画像情報格納部１１のいずれか一方に記憶する。
【００５３】
つまりＣＰＵ２０を用いて第１のスイッチング状態と第２のスイッチング状態とを選択的に切換えることによって、取得するＬａｂ画像情報を、ＬａｂおよびＹＵＶの色空間のうちのいずれか一方を選択して、選択される色空間で規定される画像情報をメモリカード２１および画像情報格納部１１のいずれか一方に記憶することができる。したがって次のような効果を奏する。第１のスイッチング状態が選択された場合、換言すればＬａｂ画像情報からＹＵＶ画像情報に変換する必要のない場合には、変換手段に掛かる負荷の軽減を図ることができる。
【００５４】
さらに本実施の形態のファクシミリ装置１は、取得されるＬａｂ画像情報を他のファクシミリ装置１に再度転送する場合、メモリカード２１に記憶されるＬａｂ画像情報をそのまま転送することができる。従来のように変換されるＹＵＶ画像情報を再度Ｌａｂ画像情報に変換し直す必要がなく、転送時の変換手段に掛かる負荷の軽減を図ることができる。またＬａｂ画像情報からＹＵＶ画像情報への変換は、サブサンプル工程を含むので、不可逆変換である。したがってＹＵＶ画像情報からＬａｂ画像情報へ逆変換すると、不可逆変換にともなう画像の劣化が生じる。変換することなく転送するので、従来のように、転送を繰返すことによって生じる画像の劣化を防ぐことができる。また第２のスイッチング状態に切換えてＬａｂ画像情報をＹＵＶ画像情報に変換可能である。したがって取得されるＬａｂ画像情報をＹＵＶ画像情報に変換して、このＹＵＶ画像情報を変換して得られる画像を表示部１６に表示させることができる。これによって取得するＬａｂ画像情報の画像を確認することができる。
【００５５】
また本実施の形態のファクシミリ装置１によれば、ファクシミリ装置１は、Ｌａｂ画像情報の容量が予め定められる許容容量以上か否かの判定結果に基づいて、第１および第２のスイッチング状態を切換える。Ｌａｂ画像情報の容量が大きくなると、変換手段に掛かる負荷が大きくなる。つまりＬａｂ画像情報の容量によって変換手段に掛かる負荷が異なる。したがってＣＰＵ２０は、Ｌａｂ画像情報の容量が許容容量以上である場合、第１のスイッチング状態に切換えて変換手段に掛かる負荷を小さくする。ＣＰＵ２０は、Ｌａｂ画像情報の容量が許容容量未満である場合、変換すべきＬａｂ画像情報の容量が比較的小さい。したがって変換する際の変換手段に掛かる負荷が小さいので、第２のスイッチング状態に切換えてＹＵＶ画像情報に変換して記録媒体に記憶する。このようにしてＣＰＵ２０は、画像情報の容量が許容容量以上である場合、第１のスイッチング状態に切換えて変換手段に掛かる負荷を調整することができる。
【００５６】
また本実施の形態のファクシミリ装置１によれば、ファクシミリ装置１は、ＣＰＵ２０によってメモリカード２１に記憶されるＬａｂ画像情報を検索する。ＣＰＵ２０は、検索されるＬａｂ画像情報を変換手段によってＹＵＶ画像情報に変換する。それ故、Ｌａｂ画像情報がメモリカード２１および画像情報格納部１１に記憶される状態で、Ｌａｂ画像情報を変換手段によって変換して得られるＹＵＶ画像情報が作成され、変換前画像情報２４および変換後画像情報２５をメモリカード２１に記憶することができる。変換前画像情報２４および変換後画像情報２５が記憶されるので、一方の色空間で規定される画像情報から他方の色空間で規定される画像情報に変換する必要がなくなる。これによって変換回数を少なくして、変換手段に掛かる負荷を軽減することができるうえ、画像情報の変換および逆変換にともなう画像情報の劣化を防止できる。つまり色変換部８によって変換することなく、画像を表示部１６で見ることができるとともに、他のファクシミリ装置に転送することができる。
【００５７】
また本実施の形態のファクシミリ装置１によれば、メモリカード２１などの外部記録媒体に情報を記録する場合、ドライバ、本実施の形態ではカードコントローラ１３を駆動させて情報を記録する必要がある。またＹＵＶ画像情報への変換とカードコントローラ１３駆動を並列で行うと、ＣＰＵ２０の負荷が大きくなる。これによってＹＵＶ画像情報への変換とメモリカード２１に記憶とを並列して行うと、メモリカード２１に記憶する記録速度が遅くなくなる。このため変換されるＹＵＶ画像情報を画像情報格納部１１に格納し、格納されるＹＵＶ画像情報をメモリカード２１に記憶させる。これによってＣＰＵ２０の負荷を軽減することができ、記録速度を落とすことなくメモリカード２１に記録することができる。
【００５８】
本実施の形態のファクシミリ装置１によれば、メモリカード２１にＹＵＶ画像情報を記憶する場合、Ｌａｂ画像情報をＹＵＶ画像情報に変換し、画像情報格納部１１に記憶する。その後、画像情報像情報格納部１１に記憶されるＹＵＶ画像情報をメモリカード２１に伝送し記憶させる。これによってＹＵＶ画像情報をメモリカード２１に記憶することができる。
【００５９】
また本実施の形態のファクシミリ装置１によれば、変換手段に掛かる負荷を軽減するファクシミリ装置１を実現することができる。それ故、変換手段の処理能力が低くても必要十分な機能を有するファクシミリ装置１を提供することができる。したがってファクシミリ装置１の製作コストの低減を図ることができる。
【００６０】
本実施の形態では、取得されるＬａｂ画像情報の容量が許容容量以上か否かの判定によって、第１のスイッチング状態と第２のスイッチング状態とを切換えているけれども、必ずしもこの判定を必要としない。たとえば、ステップａ１からステップａ４によってメモリカード２１がＬａｂ画像情報を記憶可能か否かを判定する。記憶可能であると判定すると、第１のスイッチング状態に切換えてＬａｂ画像情報をメモリカード２１に記憶させる。記憶不可能であると判定すると、第２のスイッチング状態に切換えてＬａｂ画像情報をＹＵＶ画像情報に変換して画像情報格納部１１に記憶させてもよい。これによってＬａｂ画像情報とＹＵＶ画像情報とを区別して記憶させることができ、利用者は、Ｌａｂ色空間およびＹＵＶ色空間のいずれの色空間で規定される画像情報が記憶されているか判断することが容易である。表示部１６で表示可能な画像の画像情報であるＹＵＶ画像情報を、画像情報格納部１１に記憶させ、表示部１６で表示不可能な画像の画像情報であるＬａｂ画像情報を、メモリカード２１に記憶させる。ＹＵＶ画像情報をメモリカード２１から読み出すことなく、前記ＹＵＶ画像情報に基づく画像を表示部１６に表示させることができる。これによってメモリカード２１から読み出して表示させる場合に比べて、表示部１６で前記画像を表示させる表示速度を速くすることができるとともに、メモリカード２１から情報を読み出す際に掛かるＣＰＵ２０の負荷をなくすことができる。
【００６１】
また逆にファクシミリ装置１を第１のスイッチング状態に切換えられると、Ｌａｂ画像情報を画像情報格納部１１に記憶させ、第２のスイッチング状態に切換えられると、ＹＵＶ画像情報をメモリカード２１に記憶可能に構成する。これによってファクシミリ装置１でＬａｂ画像情報を転送する際、Ｌａｂ画像情報をメモリカード２１から読み出すことなく伝送することができる。これによってメモリカード２１から読み出して転送する場合に比べて、メモリカード２１から情報を読み出す際に掛かるＣＰＵ２０の負荷をなくすことができる。このように用途に応じて、Ｌａｂ画像情報およびＹＵＶ画像情報を記憶する記憶対象を切換えることによって、処理速度を速くし、ＣＰＵ２０の負荷を軽減することができる。
【００６２】
本実施の形態では、メモリカード２１に記憶されているけれども必ずしもこれに限定されない。たとえばファクシミリ装置１と外部接続可能なフラッシュメモリ、コンパクトディスクレコーダブル（Compact Disk Recordable:略称ＣＤ−Ｒ）およびデジタル多機能ディスク（Digital Versatile Disc;略称:ＤＶＤ）ＲＡＭであってもよく、外部記憶媒体であればよい。またファクシミリ装置１に備えられる画像情報格納部１１が、Ｌａｂ画像情報およびＹＵＶ画像情報を記憶可能に構成されてもよい。具体的には、ＣＰＵ２０がＬａｂ画像情報の容量が許容容量以上であると判定すると、Ｌａｂ画像情報をそのまま画像情報格納部１１に記憶する。Ｌａｂ画像情報の容量が許容容量未満であると判定すると、ＹＵＶ画像情報に変換して画像情報格納部１１に記憶する。これによってさらに簡単な構造のファクシミリ装置１によって、変換手段に掛かる負担を軽減することができる。
【００６３】
本実施の形態では、第１の色空間がＬａｂ色空間であり、第２の色空間がＹＵＶ色空間であるけれども、第１の色空間がＹＵＶ色空間であり、第２の色空間がＬａｂ色空間であってもよい。また第１および第２の色空間は、Ｌａｂ色空間およびＹＵＶ色空間に限定されず、ＣＭＹＫ色空間であってもよい。また本実施の形態では、ファクシミリ装置１について説明しているけれども、これに限定されず、第１の色空間で規定される画像情報と第２の色空間で規定される画像情報を記憶する記憶装置を備えるものであればよい。たとえパーソナルコンピュータである。
【図面の簡単な説明】
【００６４】
【図１】本発明の実施の形態のファクシミリ装置の各構成を示すブロック図である。
【図２】取得される画像情報を記録媒体に記録する手順を示すフローチャートである。
【図３】Ｌａｂ画像情報とＹＵＶ画像情報とを相互に変換する手順を示すフローチャートである。
【図４】画像情報が記憶される記録媒体のディレクトリ構造を概略示す図である。
【符号の説明】
【００６５】
１  ファクシミリ装置
３  回線制御部
６  多値画像符号化復号化部
８  色変換部
１１  画像情報格納部
２０  ＣＰＵ  
２１  メモリカード
【図１】
2006094061.tif 000003
【図２】
2006094061.tif 000004
【図３】
2006094061.tif 000005
【図４】
2006094061.tif 000006